(57)【特許請求の範囲】
【請求項１】
ターゲットに対して転写可能な金属微粒子を含む箔形成用記録材を基材に付着させた転写媒体を製造するための転写媒体製造方法において、
前記基材に対して前記箔形成用記録材を付着させる記録材付着段階と、
前記記録材付着段階にて前記基材に付着した前記箔形成用記録材の表面を平滑化する平滑化段階と、
を備え、
前記平滑化段階では、
前記基材に付着された前記箔形成用記録材を押圧可能な押圧手段を前記箔形成用記録材に向けて付勢する付勢手段の付勢力を、前記基材に対する前記箔形成用記録材の付着態様に応じて調整することを特徴とする転写媒体製造方法。
【請求項２】
基材に対して金属微粒子を含む箔形成用記録材を付着させる記録材付着段階と、
前記記録材付着段階にて前記基材に付着された前記箔形成用記録材の表面を平滑化する平滑化段階と、
前記平滑化段階にて表面が平滑化された前記箔形成用記録材を前記基材からターゲットに対して転写させる転写段階と、
を備え、
前記平滑化段階では、
前記基材に付着された前記箔形成用記録材を押圧可能な押圧手段を前記箔形成用記録材に向けて付勢する付勢手段の付勢力を、前記基材に対する前記箔形成用記録材の付着態様に応じて調整することを特徴とする転写方法。
【請求項３】
ターゲットに対して転写可能な金属微粒子を含む箔形成用記録材を基材に付着させた転写媒体を製造するための転写媒体製造装置において、
前記基材に対して前記箔形成用記録材を付着させる記録材付着手段と、
前記記録材付着手段によって前記基材に付着された前記箔形成用記録材の表面を平滑化する平滑化手段と、
を備え、
前記平滑化手段は、
前記基材に付着された前記箔形成用記録材を押圧可能な押圧手段と、
前記押圧手段を前記箔形成用記録材に向けて付勢する付勢手段と、
を備え、
前記基材に対する前記箔形成用記録材の付着態様に応じて、前記付勢手段による前記押圧手段に対する付勢力を調整することを特徴とする転写媒体製造装置。
【請求項４】
請求項３に記載の転写媒体製造装置において、
前記基材における前記箔形成用記録材の付着領域が前記平滑化手段に向けて接近するように前記基材を搬送する搬送手段と、
前記基材の搬送経路上における前記記録材付着手段と前記平滑化手段の間に設けられ、前記基材における前記箔形成用記録材が付着する面の温度を検出する温度検出手段と、
前記基材の搬送経路上における前記温度検出手段と前記平滑化手段の間に設けられ、前記基材における前記箔形成用記録材の付着領域を乾燥させる乾燥手段と、を更に備え、
前記温度検出手段の検出結果に基づき、前記乾燥手段による前記箔形成用記録材の乾燥条件を設定することを特徴とする転写媒体製造装置。
【請求項５】
請求項３又は請求項４に記載の転写媒体製造装置と、
前記転写媒体製造装置によって製造された前記転写媒体から前記箔形成用記録材を前記ターゲットに対して転写させる転写手段と、
を備えたことを特徴とする転写装置。
【発明の詳細な説明】
【技術分野】
【０００１】
本発明は、ターゲットに対して転写可能な金属微粒子を含む箔形成用記録材を基材に付着させた転写媒体を製造するための転写媒体製造方法、該転写媒体製造方法により製造された転写媒体を用いる転写方法、転写媒体製造装置、及び転写装置に関する。
【背景技術】
【０００２】
従来、転写媒体からターゲットに対して記録材を転写する転写装置の一種として、熱転写装置が広く知られている（例えば、特許文献１）。この特許文献１に記載の熱転写装置は、中間転写記録媒体（転写媒体）に向けてインク（箔形成用記録材）を噴射して画像を形成する印画部と、該印画部が形成した画像を中間転写記録媒体から被転写体（ターゲット）に対して熱転写する転写部とを備えている。そして、この熱転写装置では、まず、印画部が中間転写記録媒体に向けてインクを噴射することにより、インクによる画像パターンを中間転写記録媒体上に形成する。続いて、転写部が中間転写記録媒体と被転写体とを重ね合わせた状態で中間転写記録媒体を加熱することにより、インクによる画像パターンを中間転写記録媒体から被転写体に熱転写する。
【先行技術文献】
【特許文献】
【０００３】
【特許文献１】特開２００８−１８８８６５号公報
【発明の概要】
【発明が解決しようとする課題】
【０００４】
ところで、近年では、例えば、特許文献１に記載の熱転写装置において、印画部から中間転写記録媒体に噴射されるインクとして金属微粒子を含む金属インクを採用することにより、金属インクによる金属箔を中間転写記録媒体から被転写体に転写させる技術が提案されている。
【０００５】
しかしながら、印画部が金属インクを中間転写記録媒体に噴射した場合には、金属インクがその表面に凹凸形状を形成した状態で中間転写記録媒体上に固化することが有り得る。なお、金属インクにおいて凹凸形状が形成され得る表面は、被転写体に対して金属インクを転写する際に、金属インクが被転写体に接触する接触面となっている。ここで、金属インクが被転写体に対する接触面の平面性が低い状態で被転写体に転写されたとすると、金属インクが被転写体上に形成する金属箔は、被転写体越しに見た場合の光沢性が十分に得られない虞があった。
【０００６】
本発明は、このような事情に鑑みてなされたものであり、その目的は、転写媒体からターゲットに転写される金属箔の光沢性を十分に得ることができる転写媒体製造方法、転写方法、転写媒体製造装置、及び転写装置を提供することにある。
【課題を解決するための手段】
【０００７】
上記目的を達成するために、本発明の転写媒体製造方法は、ターゲットに対して転写可能な金属微粒子を含む箔形成用記録材を基材に付着させた転写媒体を製造するための転写媒体製造方法において、前記基材に対して前記箔形成用記録材を付着させる記録材付着段階と、前記記録材付着段階にて前記基材に付着した前記箔形成用記録材の表面を平滑化する平滑化段階と、を備え、前記平滑化段階では、前記基材に付着された前記箔形成用記録材を押圧可能な押圧手段を前記箔形成用記録材に向けて付勢する付勢手段の付勢力を、前記基材に対する前記箔形成用記録材の付着態様に応じて調整する。
【０００８】
上記構成によれば、基材に付着した箔形成用記録材は、表面が平滑化手段によって円滑に平滑化される。なお、箔形成用記録材は、平滑化手段によって平滑化される表面がターゲットに対して接触する面となる。そのため、この箔形成用記録材がターゲットに対して金属箔として転写されることにより、この金属箔をターゲット越しに見た場合の光沢性を十分に得ることができる。さらに、例えば、箔形成用記録材が基材上に細密な記録像を形成している場合には、付勢手段による押圧手段に対する付勢力を低減させる。すると、押圧手段は、記録像を弱く押圧するため、基材上の細密な記録像の形状を乱すことはほとんどない。一方、例えば、箔形成用記録材が基材上に簡素な記録像を形成している場合には、付勢手段による押圧手段に対する付勢力を増大させる。すると、押圧手段は、記録像
を強く押圧するため、箔形成用記録材の表面をより確実に平滑化させることができる。
【０００９】
また、本発明の転写方法は、基材に対して金属微粒子を含む箔形成用記録材を付着させる記録材付着段階と、前記記録材付着段階にて前記基材に付着された前記箔形成用記録材の表面を平滑化する平滑化段階と、前記平滑化段階にて表面が平滑化された前記箔形成用記録材を前記基材からターゲットに対して転写させる転写段階と、を備え、前記平滑化段階では、前記基材に付着された前記箔形成用記録材を押圧可能な押圧手段を前記箔形成用記録材に向けて付勢する付勢手段の付勢力を、前記基材に対する前記箔形成用記録材の付着態様に応じて調整する。
【００１０】
上記構成によれば、上記転写媒体製造方法の発明と同様の効果が得られる。
また、本発明の転写媒体製造装置は、ターゲットに対して転写可能な金属微粒子を含む箔形成用記録材を基材に付着させた転写媒体を製造するための転写媒体製造装置において、前記基材に対して前記箔形成用記録材を付着させる記録材付着手段と、前記記録材付着手段によって前記基材に付着された前記箔形成用記録材の表面を平滑化する平滑化手段と、を備え、前記平滑化手段は、前記基材に付着された前記箔形成用記録材を押圧可能な押圧手段と、前記押圧手段を前記箔形成用記録材に向けて付勢する付勢手段と、を備え、前記基材に対する前記箔形成用記録材の付着態様に応じて、前記付勢手段による前記押圧手段に対する付勢力を調整する。
【００１１】
上記構成によれば、上記転写媒体製造方法の発明と同様の効果が得られる。
【００１３】
また、本発明の転写媒体製造装置は、前記基材における前記箔形成用記録材の付着領域が前記平滑化手段に向けて接近するように前記基材を搬送する搬送手段と、前記基材の搬送経路上における前記記録材付着手段と前記平滑化手段の間に設けられ、前記基材における前記箔形成用記録材が付着する面の温度を検出する温度検出手段と、前記基材の搬送経路上における前記温度検出手段と前記平滑化手段の間に設けられ、前記基材における前記箔形成用記録材の付着領域を乾燥させる乾燥手段と、を更に備え、前記温度検出手段の検出結果に基づき、前記乾燥手段による前記箔形成用記録材の乾燥条件を設定する。
【００１４】
上記構成によれば、基材における箔形成用記録材が付着する面の温度に基づいて、基材上に付着した箔形成用記録材が、乾燥手段に搬入される前段階でどの程度乾燥されるかが予測される。そして、この予測された結果を参照しつつ、乾燥手段による箔形成用記録材の乾燥条件を設定する。その結果、基材上に付着した箔形成用記録材を平滑化手段に搬入する時点で確実に表面を平滑化可能な状態にすることができる。
【００１５】
また、本発明の転写装置は、上記構成の転写媒体製造装置と、前記転写媒体製造装置によって製造された前記転写媒体から前記箔形成用記録材を前記ターゲットに対して転写させる転写手段と、を備えた。
【００１６】
上記構成によれば、上記転写媒体製造装置の発明と同様の効果が得られる。
【図面の簡単な説明】
【００１７】
【図１】本実施形態の転写装置の概略図。
【図２】記録ヘッドから基材フィルムにオーバーコート液、金属インク、及び接着液が積層されるように噴射された状態を示す模式図。
【図３】（ａ）は押圧ローラーがキャリアフィルムから離間した状態を示す模式図、（ｂ）は押圧ローラーが基材フィルム及びキャリアフィルムを押圧している状態を示す模式図、（ｃ）は（ｂ）に示す状態から押圧ローラーが基材フィルム及びキャリアフィルムを更に強く押圧している状態を示す模式図。
【図４】基材フィルムから被転写体にオーバーコート層、金属インク層、及び接着層が熱転写される工程を示す模式図。
【発明を実施するための形態】
【００１８】
以下、本発明を具体化した転写装置の一実施形態を図面に基づいて説明する。なお、以下の説明において、「前後方向」、「左右方向」、「上下方向」をいう場合は、図１に矢印で示した方向を基準として示すものとする。
【００１９】
図１に示すように、転写装置１１は、基材としての基材フィルム１２に対して画像パターンを形成した転写媒体を製造するための転写媒体製造装置１００と、該転写媒体製造装置１００によって製造された転写媒体からターゲットとしての被転写体に対して画像パターンを転写する転写ユニット１０１とから構成されている。そして、転写媒体製造装置１００は、長尺のシート状をなす基材フィルム１２を繰り出す繰り出し部１３と、該繰り出し部１３から繰り出された基材フィルム１２に画像パターンを形成する印刷部１４と、該印刷部１４で基材フィルム１２に形成された画像パターンを乾燥させる乾燥部１５とを備えている。また、転写ユニット１０１は、乾燥部１５で乾燥された基材フィルム１２上の画像パターンを被転写体１６に対して転写する転写部１７を備えている。
【００２０】
まず、転写媒体製造装置１００について説明する。
図１に示すように、繰り出し部１３には、２つの巻き軸１８，１９が回動自在に設けられている。そして、各巻き軸１８，１９には、基材フィルム１２及び該基材フィルム１２を補強するための長尺状の補強材としてのキャリアフィルム２０がそれぞれロール状に巻かれた状態で支持されている。また、繰り出し部１３には、巻き軸１８から繰り出される基材フィルム１２と、巻き軸１９から繰り出されるキャリアフィルム２０とを重ね合わせた状態で挟圧する一対のローラー２１，２２が設けられている。
【００２１】
また、一対のローラー２１，２２とキャリアフィルム２０を巻装する巻き軸１９との間には、接着剤コーター手段２３が設けられている。そして、接着剤コーター手段２３は、巻き軸１９から繰り出されるキャリアフィルム２０における基材フィルム１２との接着面に対して接着剤を塗布することにより接着剤層２４（図２参照）を形成する。そして、一対のローラー２１，２２は、接着剤コーター手段２３によってキャリアフィルム２０に塗布された接着剤による接着剤層２４を介して両フィルム１２，２０を圧着させるようになっている。なお、本実施形態では、接着剤コーター手段２３からキャリアフィルム２０に塗布される接着剤として、ＵＶ（Ultra  Violet）剥離型の接着剤が用いられている。
【００２２】
印刷部１４には、一対のローラー２１，２２に対して右斜め上方となる位置に中継ローラー２５が回動自在に設けられている。そして、一対のローラー２１，２２から繰り出される基材フィルム１２及びキャリアフィルム２０は、中継ローラー２５に対して左側下方から巻き掛けられて水平右方向に搬送される。
【００２３】
中継ローラー２５の右側の領域には、矩形板状のプラテン２６が設けられている。プラテン２６の上面は、中継ローラー２５から搬送される両フィルム１２，２０を支持する支持面２６ａとなっている。また、プラテン２６の内部には、該支持面２６ａを加熱するためのヒーター（図示略）が埋設されている。
【００２４】
また、プラテン２６の上方には、左右方向に延びるガイドレール２７が設けられている。ガイドレール２７には、矩形板状のキャリッジ２８がガイドレール２７に沿って左右方向に往復移動可能な状態で支持されている。そして、キャリッジ２８は、図示しない駆動機構の駆動に基づいてガイドレール２７上を左右方向に移動する。
【００２５】
キャリッジ２８の下面には、矩形板状のスライド板２９がキャリッジ２８に対して前後方向にスライド移動可能に支持されている。また、スライド板２９の下面には、記録材付着手段としての記録ヘッド３０が支持されている。また、記録ヘッド３０は、液体供給チューブ３０ａを介して複数（本実施形態では３つ）の液体カートリッジ３２ａ，３２ｂ，３２ｃに接続されている。そして、液体カートリッジ３２ａには、被転写体１６に転写させる画像パターンを形成するための金属微粒子を含む箔形成用記録材としての金属インクが収容されている。また、液体カートリッジ３２ｂには、被転写体１６に転写される画像パターンを保護するためのオーバーコート液が収容されている。また、液体カートリッジ３２ｃには、画像パターンを被転写体１６に対して接着させるための接着液が収容されている。
【００２６】
また、記録ヘッド３０の下面には、図示しない複数のノズル開口が設けられている。そして、記録ヘッド３０は、各液体カートリッジ３２ａ，３２ｂ，３２ｃから液体供給チューブ３０ａを介して供給された液体（金属インク、オーバーコート液、及び接着液）を各ノズル開口からプラテン２６の支持面２６ａ上に搬送されて停止された状態の基材フィルム１２に向けて噴射する。なお、本実施形態では、図２に示すように、記録ヘッド３０は、キャリッジ２８の走査に伴って、ノズル開口からオーバーコート液、金属インク、及び接着液を基材フィルム１２に順次噴射して、基材フィルム１２上にオーバーコート液によるオーバーコート層Ａ、金属インクによる金属インク層Ｂ、及び接着液による接着層Ｃを積層させて形成するようになっている。
【００２７】
プラテン２６の右方には、該プラテン２６を挟んで中継ローラー２５と対向するように転換ローラー３１が回動自在に設けられている。なお、転換ローラー３１の上面は、中継ローラー２５の上面及びプラテン２６の支持面２６ａに対して互いに面一になっている。また、中継ローラー２５からプラテン２６の支持面２６ａに沿って水平右方向に搬送される基材フィルム１２及びキャリアフィルム２０は、転換ローラー３１に対して左側上方から巻き掛けられている。そして、両フィルム１２，２０は、転換ローラー３１によって搬送方向が水平右方向から鉛直下方向に転換された状態で、基材フィルム１２上における金属インクの付着領域が乾燥部１５に向けて接近するように搬送される。
【００２８】
乾燥部１５には、印刷部１４において記録ヘッド３０から基材フィルム１２上に噴射された金属インクの付着領域を強制的に乾燥させるための乾燥手段としての強制乾燥装置３２が設けられている。強制乾燥装置３２は、内部が中空状をなす筐体３３を備え、該筐体３３の内部にはヒーター３４が設けられている。そして、転換ローラー３１から鉛直下方向に搬送される両フィルム１２，２０は、筐体３３の上壁部に設けられた挿通孔（図示略）を通って筐体３３内に搬入される。また、両フィルム１２，２０は、筐体３３内の下側領域に回転可能に設けられた転換ローラー３５に左側上方から巻き掛けられて水平右方向に搬送された後、筐体３３の右壁部に設けられた挿通孔（図示略）を通って筐体３３外に搬出される。すなわち、両フィルム１２，２０のうち、基材フィルム１２は、印刷部１４においてオーバーコート層Ａ、金属インク層Ｂ、及び接着層Ｃが積層された記録面を転換ローラー３５に対して接触させる。
【００２９】
また、筐体３３内には、押圧手段としての押圧ローラー３６が転換ローラー３５に対して両フィルム１２，２０を挟んで対向するように設けられている。また、押圧ローラー３６は、前後方向に延設された軸部３７を中心として回動自在に構成されている。そして、押圧ローラー３６は、印刷部１４において基材フィルム１２の記録面に形成されたオーバーコート層Ａ、金属インク層Ｂ、及び接着層Ｃを転換ローラー３５との間で挟圧可能となっている。
【００３０】
また、押圧ローラー３６の軸部３７には、棒状の剛性体からなる連結部材３８の長手方向の一端側が連結されている。また、筐体３３内における押圧ローラー３６の左斜め下方には、内部が中空の箱体状をなす中継部材３９が設けられている。中継部材３９には、押圧ローラー３６に対向する上壁部に挿通孔（図示略）が形成されており、連結部材３８の長手方向の他端側はこの挿通孔を通って中継部材３９の内部に挿通されている。
【００３１】
また、連結部材３８の長手方向の途中位置には係止部４０が設けられている。そして、この係止部４０と中継部材３９における押圧ローラー３６に対向する上壁部との間には、コイルスプリング４１が連結部材３８の長手方向に沿うように連結部材３８に巻装されている。
【００３２】
また、筐体３３内における中継部材３９の左斜め下方には、側面視で略楕円形状をなす付勢手段としての偏心カム４２が回転軸線４２ａを中心に偏心して回転可能に設けられている。偏心カム４２は、略楕円形状をなす外周面が中継部材３９の底壁部に当接して中継部材３９を支持している。そして、中継部材３９は、偏心カム４２の回動に伴って偏心カム４２の外周面から右斜め上方に押圧力を受けることにより、中継部材３９の上壁部と連結部材３８の係止部４０との間で挟持されるコイルスプリング４１を圧縮させるように、連結部材３８に対して該連結部材３８の長手方向に沿って相対変位するようになっている。
【００３３】
また、両フィルム１２，２０の搬送経路上における転換ローラー３１と強制乾燥装置３２との間には、基材フィルム１２における記録ヘッド３０から噴射される金属インクを受容する面の表面温度を検出する温度検出手段としての温度センサー４３が設けられている。また、温度センサー４３は、制御部４４に対して電気的に接続されている。そして、制御部４４は、温度センサー４３の検出結果に基づいて、ヒーター３４による筐体３３内の加熱温度を調整する。
【００３４】
転換ローラー３５の右方には、中継ローラー４５が回動自在に設けられている。そして、転換ローラー３５から水平右方向に向けて搬送される両フィルム１２，２０は、中継ローラー４５に対して左側下方から巻き掛けられて鉛直上方向に搬送される。また、中継ローラー４５の上方には、搬送手段としての駆動ローラー４６が回動駆動可能に設けられている。そして、中継ローラー４５から鉛直上方向に向けて搬送される両フィルム１２，２０は、駆動ローラー４６に対して下側から巻き掛けられて転写部１７に向けて水平右方向に搬送される。
【００３５】
次に、転写ユニット１０１について説明する。
図１に示すように、転写部１７において基材フィルム１２の記録面側となる位置には、巻き軸４７が回動自在に設けられている。そして、この巻き軸４７には、長尺状の被転写体１６がロール状に巻かれた状態で支持されている。また、転写部１７には、駆動ローラー４６から繰り出される両フィルム１２，２０と巻き軸４７から繰り出される被転写体１６とを重ね合わせた状態で挟圧する一対のローラー４８，４９が設けられている。そして、一対のローラー４８，４９は、基材フィルム１２の記録面を被転写体１６に対して圧着させるようになっている。
【００３６】
なお、巻き軸４７と一対のローラー４８，４９との間には、巻き軸４７から繰り出される被転写体１６の幅方向の位置を検出する位置検出センサー５０が設けられている。また、駆動ローラー４６と一対のローラー４８，４９との間には、駆動ローラー４６から繰り出される両フィルム１２，２０の幅方向の位置を検出する位置検出センサー５１が設けられている。そして、一対のローラー４８，４９は、これらの位置検出センサー５０，５１の検出結果に基づいて、印刷部１４において基材フィルム１２に形成された画像パターンを被転写体１６上の所望の位置に位置合わせをした状態で重ね合わせることが可能となっている。
【００３７】
また、一対のローラー４８，４９の右斜め下方には、巻き取り駆動軸５２が回転駆動可能に設けられている。そして、巻き取り駆動軸５２には、駆動ローラー４６から繰り出される両フィルム１２，２０のうち、キャリアフィルム２０が基材フィルム１２から剥離された状態で巻き掛けられている。また、駆動ローラー４６と一対のローラー４８，４９との間には、駆動ローラー４６から繰り出される両フィルム１２，２０のうち、基材フィルム１２の記録面に対してＵＶ光を照射するＵＶ光源５３が設けられている。
【００３８】
また、一対のローラー４８，４９の右方には、該一対のローラー４８，４９から繰り出される基材フィルム１２及び被転写体１６を挟んで対向するように転写手段としての一対の転写ローラー５５，５６が設けられている。そして、一対の転写ローラー５５，５６は、一対のローラー４８，４９から繰り出される基材フィルム１２及び被転写体１６を加熱しながら挟圧する。
【００３９】
また、一対の転写ローラー５５，５６の右方には、分離ローラー５７が回動自在に設けられている。そして、一対の転写ローラー５５，５６から水平右方向に繰り出される基材フィルム１２は、被転写体１６から剥離された状態で分離ローラー５７に左側上方から巻き掛けられて鉛直下方向に搬送される。また、分離ローラー５７の下方には、巻き取り駆動軸５８が図示しない駆動機構の駆動に基づいて回転駆動可能に設けられている。そして、巻き取り駆動軸５８には、分離ローラー５７から繰り出される基材フィルム１２が上方から巻き掛けられている。
【００４０】
また、分離ローラー５７の右方には、中継ローラー５９が回動自在に設けられている。そして、分離ローラー５７から水平右方向に繰り出される被転写体１６は、中継ローラー５９に左方から巻き掛けられて鉛直下方向に搬送される。また、中継ローラー５９の下方には、巻き取り駆動軸６０が回転駆動可能に設けられている。そして、巻き取り駆動軸６０には、転写部１７において基材フィルム１２から画像パターンが熱転写された被転写体１６が上方から巻き掛けられている。
【００４１】
次に、上記のように構成された転写装置１１の作用について、特に、金属インクによって形成される画像パターンを基材フィルム１２から被転写体１６に転写する際の作用に着目して以下説明する。
【００４２】
まず、記録材付着段階として、図２に示すように、印刷部１４において記録ヘッド３０が基材フィルム１２の記録面に向けてオーバーコート液、金属インク、及び接着液を重畳するように噴射する。この場合、基材フィルム１２の記録面には、オーバーコート液によるオーバーコート層Ａ、金属インクによる金属インク層Ｂ、および接着液による接着層Ｃが互いに波打ち形状の境界面を形成した状態で積層される。
【００４３】
次に、平滑化段階として、図３（ａ）に示すように、押圧ローラー３６が転換ローラー３５に巻き掛けられたキャリアフィルム２０から離間した状態で、偏心カム４２を回転駆動させる。すると、偏心カム４２は、回転軸線４２ａを中心として押圧ローラー３６側となる右斜め上方に張り出す寸法を増大させるように偏心して回転する。そして、中継部材３９は、偏心カム４２の外周面によって押圧ローラー３６に対して接近するように右斜め上方に押し上げられる。その結果、連結部材３８の係止部４０は、中継部材３９の右斜め上方への変位に連動して、中継部材３９との間に介設されたコイルスプリング４１によって右斜め上方に向けての付勢力を受ける。そのため、押圧ローラー３６は、連結部材３８から転換ローラー３５に接近するように右斜め上方への押圧力を受けることにより、転換ローラー３５に巻き掛けられたキャリアフィルム２０に対して当接するようになる。
【００４４】
そして次に、図３（ｂ）に示すように、偏心カム４２を更に回転駆動させると、偏心カム４２は、回転軸線４２ａを中心として押圧ローラー３６側となる右斜め上方に張り出す寸法を更に増大させるように偏心して回転する。そして、中継部材３９は、偏心カム４２の外周面によって押圧ローラー３６に対して更に接近するように右斜め上方に押し上げられる。ここで、押圧ローラー３６は、転換ローラー３５に巻き掛けられたキャリアフィルム２０に当接しているため、右斜め上方に向けての更なる変位はキャリアフィルム２０によって規制されている。また、連結部材３８は、長手方向の一端側が押圧ローラー３６の軸部３７に対して相対変位不能に固定されている。そのため、中継部材３９が右斜め上方に変位すると、連結部材３８は、長手方向の他端側が中継部材３９の内部に進入する比率を増大させる。その結果、連結部材３８の係止部４０は、中継部材３９に対して接近するように相対変位することとなる。そして、連結部材３８の係止部４０と中継部材３９との間に介設されたコイルスプリング４１は、連結部材３８の長手方向に圧縮される。すると、押圧ローラー３６は、連結部材３８の係止部４０がコイルスプリング４１によって転換ローラー３５に向けて付勢されるため、転換ローラー３５との間で基材フィルム１２及びキャリアフィルム２０を挟圧する。
【００４５】
更に、図３（ｃ）に示すように、偏心カム４２を更に回転駆動させると、偏心カム４２は、回転軸線４２ａを中心として押圧ローラー３６側となる右斜め上方に張り出す寸法を更に増大させるように偏心して回転する。そして、中継部材３９は、偏心カム４２の外周面によって押圧ローラー３６に対して更に接近するように右斜め上方に押し上げられる。また、中継部材３９が右斜め上方に変位すると、連結部材３８の係止部４０は、中継部材３９に対して更に接近するように相対変位することとなる。そして、連結部材３８の係止部４０と中継部材３９との間に介設されたコイルスプリング４１は、連結部材３８の長手方向に更に圧縮される。すると、押圧ローラー３６は、連結部材３８の係止部４０がコイルスプリング４１から転換ローラー３５に向けてより強く付勢されるため、転換ローラー３５との間で基材フィルム１２及びキャリアフィルム２０をより強く挟圧する。
【００４６】
ここで、印刷部１４において基材フィルム１２の記録面に金属インクによる細密な画像パターンが形成されている場合には、押圧ローラー３６による転換ローラー３５に対する押圧力が比較的弱くなるように設定する。すると、転換ローラー３５は、金属インクによる画像パターンに対して弱く圧接するため、基材フィルム１２に形成された細密な画像パターンの形状を乱すことなく、金属インク層Ｂの表面が平滑化される。
【００４７】
一方、印刷部１４において基材フィルム１２の記録面に金属インクによる簡素な画像パターン（例えば、ベタ印刷）が形成されている場合には、押圧ローラー３６による転換ローラー３５に対する押圧力が比較的強くなるように設定する。すると、転換ローラー３５は、金属インクによる画像パターンに対して強く圧接するため、金属インク層Ｂの表面がより確実に平滑化される。
【００４８】
すなわち、本実施形態では、転換ローラー３５、押圧ローラー３６、連結部材３８、中継部材３９、コイルスプリング４１、及び偏心カム４２によって、基材フィルム１２に付着した金属インク層Ｂの表面を平滑化する平滑化手段が構成されている。
【００４９】
なお、転換ローラー３５は、弾性材料によって構成されており、基材フィルム１２における金属インク層Ｂが形成される記録面の凹凸形状に合わせて弾性変形しながら密着するため、基材フィルム１２の記録面に形成された金属インク層Ｂの表面を確実に平滑化することが可能となっている。
【００５０】
続いて、補強材分離段階として、図４に示すように、転写部１７において一対のローラー４８，４９は、印刷部１４においてオーバーコート層Ａ、金属インク層Ｂ、及び接着層Ｃが積層された基材フィルム１２の記録面を被転写体１６に対して圧着させつつ、基材フィルム１２からキャリアフィルム２０を剥離させる。
【００５１】
なお、基材フィルム１２は、一対のローラー４８，４９によって挟圧される前段階で、接着力低下段階として、ＵＶ光源５３からＵＶ光が照射される。また、基材フィルム１２は、ＵＶ透過性を有する材質から構成されている。そして、ＵＶ光源５３から基材フィルム１２に照射されるＵＶ光は、基材フィルム１２を透過した後、基材フィルム１２とキャリアフィルム２０とを接着するＵＶ剥離型の接着剤による接着剤層２４を照射する。すると、接着剤層２４は、ＵＶ光源５３からのＵＶ光の照射に伴って基材フィルム１２に対する接着力及びキャリアフィルム２０に対する接着力が減少（変化）する。そのため、一対のローラー４８，４９は、基材フィルム１２からキャリアフィルム２０を容易に剥離させることが可能となっている。
【００５２】
そして次に、転写段階として、一対の転写ローラー５５，５６が一対のローラー４８，４９から繰り出される基材フィルム１２及び被転写体１６を加熱しながら挟圧する。すると、印刷部１４において基材フィルム１２の記録面に噴射された接着液からなる接着層Ｃは、転写ローラー５５，５６によって加熱されて溶融状態となる。その結果、接着層Ｃは、被転写体１６における基材フィルム１２に対する接着面に対して隙間なく接触するように、該接着面の凹凸形状に合わせて流動しながら変形する。そのため、印刷部１４において基材フィルム１２の記録面に噴射された金属インクからなる金属インク層Ｂは、接着層Ｃを介して被転写体１６に対して強固に接着する。したがって、印刷部１４において基材フィルム１２に形成された金属インクによる画像パターンは接着層Ｃを介して被転写体１６に熱転写される。
【００５３】
続いて、分離ローラー５７は、一対の転写ローラー５５，５６から繰り出される基材フィルム１２及び被転写体１６のうち、被転写体１６から基材フィルム１２を剥離させる。なお、基材フィルム１２の記録面に形成されるオーバーコート層Ａは、金属インク層Ｂに対する接着力が基材フィルム１２に対する接着力よりも大きくなるように構成されている。そのため、分離ローラー５７は、被転写体１６から基材フィルム１２を剥離させる過程で、被転写体１６に熱転写されるオーバーコート層Ａを基材フィルム１２と共に被転写体１６から剥離させることはほとんどない。したがって、オーバーコート層Ａは、金属インク層Ｂと共に被転写体１６に対して熱転写される場合、金属インク層Ｂの表面の全域を被覆することになるため、金属インク層Ｂの耐摩擦性を向上させることが可能となっている。
【００５４】
なお、本実施形態では、制御部４４は、温度センサー４３によって検出される基材フィルム１２の表面温度に基づいて、ヒーター３４による筐体３３内の加熱温度を調整する。ここで、温度センサー４３によって検出される基材フィルム１２の表面温度は、記録ヘッド３０から噴射された金属インクが、プラテン２６の支持面２６ａ上を通過する過程でプラテン２６に埋設されたヒーターによって支持面２６ａを介して加熱されて乾燥される程度を示す指標となっている。そのため、印刷部１４において記録ヘッド３０から基材フィルム１２に噴射された金属インクは、乾燥部１５において筐体３３内で転換ローラー３５と押圧ローラー３６との間で挟圧される時点で確実に半溶融状態となっている。したがって、転換ローラー３５は、半溶融状態にある金属インクによる金属インク層Ｂを押圧ローラー３６との間で挟圧することにより確実に平滑化することが可能となっている。
【００５５】
また、本実施形態では、基材フィルム１２を搬送する際に、基材フィルム１２を補強するためのキャリアフィルム２０が用いられている。そのため、基材フィルム１２の剛性が増大することにより、基材フィルム１２が搬送方向に延伸することが抑制される。したがって、印刷部１４において記録ヘッド３０から基材フィルム１２上の所望の位置に金属インクを噴射することができるため、金属インクによる画像パターンの品質を向上することができる。また、転写部１７において基材フィルム１２と被転写体１６とを精度良く位置合わせすることができるため、基材フィルム１２から被転写体１６上の所望の位置に金属インクによる画像パターンを転写することができる。
【００５６】
また、本実施形態では、接着剤層２４は、キャリアフィルム２０に対する接着力が、基材フィルム１２に対する接着力よりも大きくなるように構成されている。そのため、接着剤層２４は、キャリアフィルム２０を基材フィルム１２から剥離する際に、キャリアフィルム２０と共に基材フィルム１２から剥離される。したがって、一対の転写ローラー５５，５６が基材フィルム１２を挟圧する際に、接着剤層２４が基材フィルム１２を介してこれらの転写ローラー５５，５６に粘着して汚染することはない。
【００５７】
本実施形態によれば、以下のような効果を得ることができる。
（１）上記実施形態では、金属インク層Ｂは、半溶融状態にある表面が転換ローラー３５及び押圧ローラー３６によって挟圧されて円滑に平滑化される。なお、金属インク層Ｂは、転換ローラー３５及び押圧ローラー３６によって平滑化される表面が被転写体１６に対して接触する面となる。そのため、金属インク層Ｂが被転写体１６に対して金属箔として転写されることにより、この金属箔を被転写体１６越しに見た場合の光沢性を十分に得ることができる。
【００５８】
（２）上記実施形態では、金属インクが基材フィルム１２の記録面に細密な画像パターンを形成している場合、押圧ローラー３６による転換ローラー３５に対する押圧力を低減させると、転換ローラー３５は、基材フィルム１２の記録面に形成された金属インクによる画像パターンに対して弱く圧接するため、基材フィルム１２の記録面上の細密な画像パターンの形状を乱すことはほとんどない。一方、金属インクが基材フィルム１２の記録面上に簡素な画像パターンを形成している場合、押圧ローラー３６による転換ローラー３５に対する押圧力を増大させると、転換ローラー３５は、基材フィルム１２の記録面上に形成された金属インクによる画像パターンに対して強く圧接するため、金属インク層Ｂの表面をより確実に平滑化させることができる。
【００５９】
（３）上記実施形態では、基材フィルム１２における金属インクが付着する記録面の温度に基づいて、基材フィルム１２の記録面に付着した金属インクが、強制乾燥装置３２に搬入される前段階でどの程度乾燥されるかが予測される。そして、この予測された結果を参照しつつ、強制乾燥装置３２による金属インクの乾燥条件を設定する。その結果、基材フィルム１２の記録面に付着した金属インクを転換ローラー３５及び押圧ローラー３６によって挟圧する時点で確実に半溶融状態にすることができる。
【００６０】
（４）上記実施形態では、キャリアフィルム２０は、基材フィルム１２が搬送方向に沿うように作用する力によって延伸することを抑制する。したがって、転写時には、基材フィルム１２の記録面に付着した金属インク層Ｂを被転写体１６に対して正確に位置決めすることができるため、基材フィルム１２から被転写体１６上の所望の位置に金属インク層Ｂを転写することができる。また、基材フィルム１２からキャリアフィルム２０を分離する場合には、基材フィルム１２とキャリアフィルム２０との間に介在する接着剤層２４は、キャリアフィルム２０と共に基材フィルム１２から分離される。したがって、転写ローラー５５，５６が基材フィルム１２から被転写体１６に対して金属インク層Ｂを転写する際に、接着剤層２４が基材フィルム１２を介して転写ローラー５５，５６に粘着して汚染することが抑制される。
【００６１】
（５）上記実施形態では、基材フィルム１２の搬送時には、接着剤層２４が基材フィルム１２及びキャリアフィルム２０に対する接着力を強めることにより、基材フィルム１２からキャリアフィルム２０が剥離することを確実に防止できる。一方、基材フィルム１２からキャリアフィルム２０を分離する場合には、接着剤層２４が基材フィルム１２及びキャリアフィルム２０に対する接着力を弱めることにより、基材フィルム１２からキャリアフィルム２０を容易に剥離させることができる。すなわち、搬送時における基材フィルム１２の強度の信頼性を高めつつ、必要に応じて基材フィルム１２からキャリアフィルム２０を容易に分離可能とする構成を実現することができる。
【００６２】
（６）上記実施形態では、キャリアフィルム２０は、一対の転写ローラー５５，５６が基材フィルム１２から被転写体１６に金属インク層Ｂを熱転写する前段階で基材フィルム１２から分離される。そのため、キャリアフィルム２０には、転写時において外部から圧力や熱が作用することはない。したがって、キャリアフィルム２０は、転写に際して形状が歪むことはなく、基材フィルム１２から分離されたキャリアフィルム２０を再帰的に利用することができる。
【００６３】
なお、上記実施形態は以下のように変更してもよい。
・上記実施形態において、印刷部１４において記録ヘッド３０から基材フィルム１２に噴射される金属インクとしてＵＶ硬化型のインクを採用してもよい。
【００６４】
この場合、基材フィルム１２に付着した金属インクを定着させるために、転換ローラー３１と転換ローラー３５との間に、基材フィルム１２における金属インクが付着した面に対してＵＶ光を照射するＵＶ光源を設けることが望ましい。さらに、基材フィルム１２に対する金属インクの付着態様に応じて、ＵＶ光源から基材フィルム１２に照射されるＵＶ光の光強度を調整することにより、基材フィルム１２に付着した金属インクが転換ローラー３５及び押圧ローラー３６によって挟圧される時点で半溶融状態とすることが望ましい。
【００６５】
また、この場合、基材フィルム１２とキャリアフィルム２０を接着する接着剤として熱溶融型の接着剤を用いてもよい。そして、基材フィルム１２からキャリアフィルム２０を剥離する前段階で両フィルム１２，２０を加熱することにより、基材フィルム１２からキャリアフィルム２０を容易に剥離させることができる。
【００６６】
・上記実施形態において、基材フィルム１２及びキャリアフィルム２０の搬送経路上における転換ローラー３１及び転換ローラー３５の間、又は、転換ローラー３５及び中継ローラー４５の間に、基材フィルム１２に対して転換ローラー３５側に向けての張力を作用させるテンションローラーを設けてもよい。
【００６７】
この構成によれば、テンションローラーが基材フィルム１２に対して転換ローラー３５側に作用させる張力の大きさを制御することにより、基材フィルム１２が転換ローラー３５に対して圧着する力の大きさが調整される。そのため、転換ローラー３５は、基材フィルム１２の記録面に形成された金属インク層Ｂに対する押圧力を調整することができる。
【００６８】
・上記実施形態において、押圧ローラー３６は、基材フィルム１２における金属インク層Ｂが形成された記録面に当接する構成としてもよい。この場合、押圧ローラー３６に対して基材フィルム１２を挟んで対向するように支持ローラーを設け、押圧ローラー３６と支持ローラーとの間で基材フィルム１２を挟圧することにより、基材フィルム１２に付着した金属インク層Ｂの表面を平滑化することができる。
【００６９】
・上記実施形態において、制御部４４は、温度センサー４３の検出結果に基づいて、基材フィルム１２及びキャリアフィルム２０の搬送速度を制御してもよい。
この構成によれば、印刷部１４において記録ヘッド３０から基材フィルム１２に噴射される金属インクは、強制乾燥装置３２における筐体３３内の乾燥領域を通過する際の所要時間が調整される。その結果、基材フィルム１２に付着した金属インクは、筐体３３内の乾燥領域を通過する過程で受熱する熱量が調整されるため、転換ローラー３５と押圧ローラー３６の間で挟圧される時点で確実に半溶融状態となる。したがって、転換ローラー３５は、半溶融状態にある金属インクによる金属インク層Ｂを押圧ローラー３６との間で挟圧することにより確実に平滑化することができる。
【００７０】
・上記実施形態において、基材フィルム１２及びキャリアフィルム２０を接着する接着剤層２４が、両フィルム１２，２０のうち何れか一方のフィルムに予め形成された構成としてもよい。この場合、接着剤層２４が形成されたフィルムを支持する巻き軸と一対のローラー２１，２２との間に、接着剤層２４を加熱して溶融させるための加熱ヒーターを設ける構成としてもよい。
【００７１】
・上記実施形態において、印刷部１４において、基材フィルム１２に対してオーバーコート液、金属インク、及び、接着液のうち少なくとも一つの液体を塗布する液体コーター手段を設けてもよい。
【００７２】
・上記実施形態において、印刷部１４において、基材フィルム１２に対してオーバーコート液を付着させるための機構は省略してもよい。この場合、基材フィルム１２における金属インクが付着する記録面に対してオーバーコート層が予め形成されていることが望ましい。
【００７３】
・上記実施形態において、基材フィルム１２から剥離されたキャリアフィルム２０を繰り出し部１３に周回させることにより、キャリアフィルム２０を無端状に周回駆動させる構成としてもよい。
【符号の説明】
【００７４】
１１…転写装置、１２…基材としての基材フィルム、１６…ターゲットとしての被転写体、２０…補強材としてのキャリアフィルム、２４…接着剤層、３０…記録材付着手段としての記録ヘッド、３２…乾燥手段としての強制乾燥装置、３５…平滑化手段を構成する転換ローラー、３６…平滑化手段を構成する押圧部材としての押圧ローラー、３８…平滑化手段を構成する連結部材、３９…平滑化手段を構成する中継部材、４１…平滑化手段を構成するコイルスプリング、４２…平滑化手段を構成する付勢手段としての偏心カム、４３…温度検出手段としての温度センサー、４６…搬送手段としての駆動ローラー、Ｂ…箔形成用記録材としての金属インク、５５，５６…転写手段としての一対の転写ローラー、１００…転写媒体製造装置。
【図１】
0005644072.tif 000002
【図２】
0005644072.tif 000003
【図３】
0005644072.tif 000004
【図４】
0005644072.tif 000005